(57)【特許請求の範囲】
【請求項１】
筒状の軟質の外側ネットの内部に、筒状の硬質の内側ネットがその両端部を前記外側ネットの両端部に合わせて設けられたタオル部と、
前記タオル部の両端部に設けられた洗浄者が把持するための取手とを備え、
前記取手は、前記タオル部の両端部が絞り込まれて取り付けられたことを特徴とする洗浄用ネット。
【請求項２】
前記内側ネットの網目は、前記外側ネットの網目より細かく形成されている請求項１記載の洗浄用ネット。
【請求項３】
前記内側ネットは非吸水性素材により形成され、
前記外側ネットは吸水性素材により形成されている請求項１または２記載の洗浄用ネット。
【請求項４】
筒状の硬質の第１のネットの内部に、筒状の軟質の第２のネットを通して配置する工程と、
前記第１のネットと前記第２のネットの一端部に切り欠きを形成する工程と、
前記第１のネットと前記第２のネットとの両端部を洗浄者が把持するための取手と共に固定する工程と、
前記切り欠きから前記第１のネットと前記第２のネットとを一緒に裏返して、前記第１のネットを内側ネット、前記第２のネットを外側ネットとする工程と、
前記切り欠きを塞ぐ工程とを含むことを特徴とする洗浄用ネットの製造方法。
【発明の詳細な説明】
【技術分野】
【０００１】
本発明は、体を洗う際に用いられる洗浄用ネットおよびその製造方法に関するものである。
【背景技術】
【０００２】
体の汚れをよく落とすためには、固形状の石鹸や液体石鹸であるボディソープ、ボディシャンプーなどの洗浄剤をよく泡立てることが重要である。よく泡だったボディタオルで体を擦れば、汚れが落ちるだけでなく、洗っていることが実感でき、爽快感を得ることができる。泡立ちのよいものとしては泡立て用ネットが多く使用されるが、泡立て用ネットに使用される硬質のネットでは肌への刺激が強すぎてしまう。しかし、肌に優しい木綿などの柔らかすぎるタオルなどでは泡立ちが悪くなってしまう。
そこで泡立をよくすることができる従来の洗浄用ネットとして、例えば、特許文献１，２に記載されたものが知られている。
【０００３】
特許文献１には、四角形状の基布と、基布の一方の面に積層された多数の網目を有する２つの四角形状の網布とから構成される垢擦りタオルが記載されている。
また、特許文献２には、多層構造を有する布帛であって、片面の表面粗さ（ＳＭＤ）が５μｍ以下であり、もう片面の表面粗さ（ＳＭＤ）が５μｍを越えるタオルが記載されている。
【先行技術文献】
【特許文献】
【０００４】
【特許文献１】特開平８−３３５８８号公報
【特許文献２】特開２００７−２４４４５９号公報
【発明の概要】
【発明が解決しようとする課題】
【０００５】
しかし、特許文献１に記載の垢擦りタオルは、体を洗うときに、基布が肌に触れていればよいが、網布が肌に触れることがあり、肌への強い刺激が心配される。特に、背中を洗うときには、垢擦りタオルのおもて面と裏面とを意識して肌に当てないため、網布が触れるおそれがある。
また、特許文献２に記載のタオルにおいても、おもて面と裏面とが表面粗さを変えた布帛を使用しているため、特許文献１に記載の垢擦りタオルと同様の問題が心配される。
【０００６】
そこで本発明は、良好な泡立ちが得られ、かつ肌に優しい洗浄用ネットを提供することを目的とする。
【課題を解決するための手段】
【０００７】
本発明の洗浄用ネットは、筒状の軟質の外側ネットの内部に、筒状の硬質の内側ネットがその両端部を前記外側ネットの両端部に合わせて設けられたタオル部と、前記タオル部の両端部に設けられた洗浄者が把持するための取手とを備えたことを特徴とする。
【０００８】
本発明の洗浄用ネットによれば、内側ネットが、外側ネットの内部に設けられているため、外側ネットだけでは泡立ちにくくても、硬質の内側ネットにより泡立たせることができる。また、筒状の内側ネットが重なり多層になることで、極め細やかな泡立ちを得ることができる。更に、硬質の内側ネットが、軟質の外側ネットの内部に設けられているので、体を洗うときに、軟質の外側ネットが硬質の内側ネットを覆った状態である。従って、両手で取手を持って背中や洗っても、内側ネットが肌に触れないため、肌への過剰な刺激を防止することができる。
【０００９】
前記タオル部の両端部は、絞り込まれて前記取手が取り付けられているのが望ましい。タオル部の両端部が絞り込まれていることで、両手で取手を持ってタオル部で背中を洗うときに、タオル部の中央部が幅広くなって背中の湾曲面にフィットするため、操作しやすく、広い範囲の背中を簡単に洗うことができる。
【００１０】
前記内側ネットの網目は、前記外側ネットの網目より細かく形成されているのが望ましい。前記内側ネットと前記外側ネットとを、このような網目とすることで、内側ネットより細やかな泡を、外側ネットの網目を通過させて肌へ供給しやすくすることができる。
【００１１】
前記内側ネットは非吸水性素材により形成され、前記外側ネットは吸水性素材により形成されているのが望ましい。外側ネットは吸水性素材により形成されていると、外側ネットが洗浄剤を保持するので、外側ネットと内側ネットとが擦れることにより、大きな泡立ちを得ることができる。
【００１２】
本発明の洗浄用ネットの製造方法は、筒状の硬質の第１のネットの内部に、筒状の軟質の第２のネットを通して配置する工程と、前記第１のネットと前記第２のネットの一端部に切り欠きを形成する工程と、前記第１のネットと前記第２のネットとの両端部を洗浄者が把持するための取手と共に固定する工程と、前記切り欠きから前記第１のネットと前記第２のネットとを一緒に裏返して、前記第１のネットを内側ネット、前記第２のネットを外側ネットとする工程と、前記切り欠きを塞ぐ工程とを含むことを特徴とする。
このような手順とすることで、洗浄用ネットの両端部に取手が設けられていても、取手の固定部分を外部に露出せずに本発明の洗浄用ネットを製造することができる。
【発明の効果】
【００１３】
本発明によれば、両手で取手を持って背中を洗っても、内側ネットが肌に触れないため、良好な泡立ちが得られると共に、肌への過剰な刺激を防止することができることで、肌に優しい洗浄用ネットとすることができる。
【図面の簡単な説明】
【００１４】
【図１】本発明の実施の形態に係る洗浄用ネットを示す図である。
【図２】図１に示す洗浄用ネットのＡ−Ａ線断面図である。
【図３】（Ａ）は外側ネットの網目を示す図、（Ｂ）は内側ネットの網目を示す図である。
【図４】（Ａ）〜（Ｄ）は図１に示す洗浄用ネットの製造工程を示す図である。
【図５】（Ａ）〜（Ｃ）は図４に示す洗浄用ネットの製造工程に続く製造工程を示す図である。
【発明を実施するための形態】
【００１５】
本発明の実施の形態に係る洗浄用ネットを図面に基づいて説明する。本実施の形態に係る洗浄用ネットは、固形状の石鹸や液体状のボディソープ、ボディシャンプーなどの洗浄剤で、体を洗う際に用いられるボディタオルである。図１に示す洗浄用ネット１は、タオル部２と２つの取手３から構成されている。
タオル部２は、長さが約５０ｃｍに形成されている。タオル部２は、図２に示すように、筒状の軟質の外側ネット２１と、筒状の軟質の内側ネット２２とから構成され、外側ネット２１の内部に、内側ネット２２の両端部を外側ネット２１の両端部に合わせて設けられている。
【００１６】
外側ネット２１は、幅方向が約４０ｃｍ、長さ方向が約５０ｃｍの略長方形の網目のシートを筒状にしたものから形成されている。例えば、外側ネット２１を、ポリエステルなどの合成繊維から形成することで、軟質で吸水性を有するネットとすることができる。本実施の形態では、外側ネット２１を形成する網目のシートとして、縦が１ｃｍ、横が１ｃｍの範囲の中に、縦が約１ｍｍ、横が１．５ｍｍの孔が、縦に４つ、横に４つの合計１６ほど設けられているものを採用している（図３（Ａ）参照）。なお、外側ネット２１としては、肌触りのよいもので、厚みが厚過ぎないようなものであれば使用することができる。
【００１７】
内側ネット２２は、幅方向が約３７ｃｍ、長さ方向が約５０ｃｍの略長方形の網目のシートを筒状にしたものから形成されている。例えば、内側ネット２２を、ポリエチレンなどの合成樹脂の成形品とすることで、硬質で非吸水性の網目の細かいネットとすることができる。本実施の形態では、内側ネット２２を形成する網目のシートとして、１０目の長さを示す目合いが３０ｍｍのものを使用している（図３（Ｂ）参照）。目合いは、小さいほど孔の大きさが小さくなり、極め細やかな泡が得られるので望ましい。なお、内側ネット２２としては、外側ネット２１より硬質で非吸水性のものであれば、他のネット素材のものも使用できる。
【００１８】
取手３は、約６０ｃｍの木綿製の紐をループ状にしたものである。本実施の形態では、紐をループ状にしているが、１本の紐としてもよいし、棒状部材としてもよい。しかし、取手３をループ状とする方が、背中を洗うときも指先に引っ掛けた状態で洗浄用ネット１を背中に回せるので望ましい。また、木綿製とする以外に、合成繊維製としてもよい。
【００１９】
以上のように構成された本発明の実施の形態に係る洗浄用ネット１の製造方法を図面に基づいて説明する。
まず、内側ネット２２となる筒状の第１のネット５と、外側ネット２１となる筒状の第２のネット６とを準備する。
第１のネット５と第２のネット６とが準備できたら、第１のネット５の一端の開口から第２のネット６の一端を入れ（図４（Ａ）参照）、両端部が揃う位置まで第１のネット５内に第２のネット６を通す（図４（Ｂ）参照）。このとき、第２のネット６の方が第１のネット５より幅が大きいため、第２のネット６を幅方向に二つ折りや三つ折りして細長くすると第１のネット５内へ通しやすい。
【００２０】
第１のネット５内に第２のネット６を両端部が揃う位置まで通したら、第１のネット５と第２のネット６との一端部に切り欠き７を形成する（図４（Ｃ）参照）。この切り欠き７は、長さ方向に沿ってカッターや挟みなどで直線状に切れ込みを入れるだけでよい。
【００２１】
次に、結び目８１を形成することでループ状となった２つの紐８を、第２のネット６の両端部の内側の位置に配置する。このとき、結び目８１が開口側に位置するように紐８を配置する（図４（Ｄ））。
【００２２】
次に、第１のネット５と第２のネット６との両端部をそれぞれ線材９で緊縛して、第１のネット５内で第２のネット６を固定する共に、ループ状の紐８の基端部を固定部分として固定する（図５（Ａ）参照）。このときの線材９による緊縛は、後の工程で切り欠き７に指を挿入する必要があることから、切り欠き７の開口部を塞がないような位置に行う。
そして、切り欠き７の開口部に指を入れ、第２のネット６および第１のネット５と共に、紐８のループ部分を内側から引き出すようにして、第１のネット５と第２のネット６とを一緒に裏返す（図５（Ｂ）参照）。第１のネット５と第２のネット６とを一緒に裏返すことで、第１のネット５が内側ネット２２となり、第２のネット６が外側ネット２１となり、紐８が取手３となる（図５（Ｃ）参照）。
最後に、切り欠き７を縫いあわせて塞ぐことで、洗浄用ネット１が完成する（図１参照）。
【００２３】
本実施の形態では、第１のネット５に第２のネット６を通してから切り欠き７を形成したが、第１のネット５と第２のネット６とのそれぞれに予め切り欠きを設けてもよい。しかし、第１のネット５に第２のネット６を通す際に、それぞれの切り欠きの位置を合わせる必要が生じてしまう。また、第１のネット５に第２のネット６を通してから切り欠き７を形成すれば一度の切断で切り欠き７を形成することができる。従って、第１のネット５に第２のネット６を通してから切り欠き７を形成するのが望ましい。
【００２４】
このような工程にて洗浄用ネット１を製造することで、洗浄用ネット１の両端部に取手３が設けられていても、取手３の固定部分を外部に露出せずに洗浄用ネット１を製造することができる。
【００２５】
以上のようにして製造することができる本実施の形態に係る洗浄用ネット１の使用状態について、図面に基づいて説明する。
まず、濡らしたタオル部２に、固形石鹸を置いたり、液体石鹸を付けたりした後、両手で揉むようにして泡立てる。揉むことで硬質の内側ネット２２により細かな泡立ちとなる。また、最初に吸水性を有する外側ネット２１に洗浄剤が付着するので、外側ネット２１に洗浄剤を保持させることができる。従って、泡立ち量を多くすることができる。
【００２６】
また、内側ネット２２の網目は、外側ネット２１の網目より細かく形成されているので、内側ネット２２より細やかな泡を、外側ネット２１の網目を通過させて肌へ供給しやすくすることができる。
【００２７】
背中を洗うときには、両手でそれぞれ取手３を把持してタオル部２を背中に回してタオル部２を背中に当てる。そして、同時に同じ左右方向に取手３を引っ張ることでタオル部２が背中面を摺動して洗うことができる。
タオル部２の両端部は、絞り込まれて取手３が取り付けられているので、タオル部２の中央部が幅広くなって背中の湾曲面にフィットするため、操作しやすく、広い範囲の背中を簡単に洗うことができる。
外側ネット２１は柔らかな軟質な素材で形成されているため、肌に当たっても肌への刺激が少ない。また、内側ネット２２は、外側ネット２１内にあり、肌に触れないため、肌への過剰な刺激を防止することができる。
【００２８】
このとき、内側ネット２２は外側ネット２１に両端部でしか固定されていないため、内側ネット２２は外側ネット２１内で外側ネット２１とは異なる動きをすることができる。そうすることで、外側ネット２１に保持された洗浄剤が内側ネット２２に供給され、内側ネット２２内で擦れることで更に泡立つ。従って、より一層の泡立ちを得ることができる。
【００２９】
なお、本実施の形態に係る洗浄用ネット１では、外側ネット２１および内側ネット２２が１重であったが、それぞれが２重以上の多層としてもよい。
【産業上の利用可能性】
【００３０】
本発明の洗浄用ネットおよびその製造方法は、体を洗う際に用いられるにボディタオルやフェイスタオルなどに好適である。
【符号の説明】
【００３１】
１  洗浄用ネット
２  タオル部
２１  外側ネット
２２  内側ネット
３  取手
５  第１のネット
６  第２のネット
７  切り欠き
８  紐
８１  結び目
９  線材
【図１】
0005905215.tif 000002
【図２】
0005905215.tif 000003
【図３】
0005905215.tif 000004
【図４】
0005905215.tif 000005
【図５】
0005905215.tif 000006